(57)【要約】【課題】気泡混合水の生成効率を高め、簡便な構造で安価に洗浄サービスを提供できるバランス釜洗浄装置を提供する。【解決手段】エアコンプレッサ１０２と、送水ポンプ１０３と、ノズル１０１と、エアコンプレッサ１０２からの空気をノズル１０１へ導くチューブ１２１と、送水ポンプ１０３からの水をノズル１０１へ導くホース１３１と、を備えてバランス釜の洗浄装置を構成する。さらに、ノズル１０１は、円筒体であって、バランス釜Ｂの通水口Ｈに取り付ける通水口取付部を一端に、チューブ１２１を取り付けるチューブ取付部を他端に備える。また、ノズル１０１は、チューブ取付部からの空気を前記一端側へ導気する内管と、内管先端近傍の円筒体外周にホース１３１を取り付けるホース取付部と、を具備してバランス釜洗浄装置１００を形成する。【選択図】図１
2014130008.tif 000002
【特許請求の範囲】
【請求項１】
送気装置と、
送水装置と、
気液混合ノズルと、
送気装置からの空気を気液混合ノズルへ導くチューブと、
送水装置からの水を気液混合ノズルへ導くホースと、
を有するバランス釜の洗浄装置であって、
気液混合ノズルは、円筒体であって、バランス釜の通水口に取り付ける通水口取付部を一端に、前記チューブを取り付けるチューブ取付部を他端に、備え、
気液混合ノズルは、さらに、
チューブ取付部からの空気を前記一端側へ導気する内管と、
内管先端近傍の円筒体外周に前記ホースを取り付けるホース取付部と、
を具備したことを特徴とするバランス釜洗浄装置。
【請求項２】
内管は通水口取付部近傍まで延伸しており、ホース取付部の内径中心が内管全長の先端側１／５〜１／３の範囲に位置していることを特徴とする請求項１に記載のバランス釜洗浄装置。
【請求項３】
送気装置は、送気量を周期的に増減または脈動的に増減させる制御機構を備えたことを特徴とする請求項１または２に記載のバランス釜洗浄装置。
【請求項４】
送水装置は、水没式ポンプであることを特徴とする請求項１、２または３に記載のバランス釜洗浄装置。
【発明の詳細な説明】
【技術分野】
【０００１】
本発明は、バランス釜洗浄装置に関し、特に、簡便な機構であってバランス釜内部を効率的に洗浄可能なバランス釜洗浄装置に関する。
【背景技術】
【０００２】
バランス釜は、団地その他の集合住宅の浴室に設置されている。このような集合住宅においては、住居者が引っ越す際に浴槽の清掃を含め、いわゆるハウスクリーニングがなされている。このとき、バランス釜内部にたまった湯垢などを落とすサービスも提供されている。また、近年では、衛生意識の高まりから、たとえば、エアコン室内機のフィンを掃除、除菌することもおこなわれており、同様に、居住者が定期的にバランス釜内部のクリーニングをおこないたいという要望もある。
【０００３】
バランス釜のクリーニングに際しては、洗剤の有無にかかわらず、バランス釜に通じている浴槽内の二つの通水口のいずれかにノズルを差し込み、通水して洗浄がなされる。このとき、水と空気とを平行にして気泡混合水により洗浄するもの（特許文献１〜７）が知られている。
【０００４】
しかしながら、従来の技術では以下の問題点があった。
従来技術では、ノズルの後端から直に水を供給するため、実際には水の勢いがまさり、気泡混合水の生成効率が低いという問題点があった。特に、バランス釜の内部は、熱交換の効率を高めるため管が屈曲しているため、管の最初の曲がりで、泡と水のバランスが崩れやすく、所期の効果を得にくいという問題点があった。
【０００５】
また、管の曲がりに追従する細身のノズルにより管内を洗浄する洗浄具もあるが、ノズルの挿入長に限界があったり、挿入長は確保できるものの構造が複雑なノズルとなって、作業時間もかかり、ひいては洗浄サービス単価が高くなるという問題点もあった。また、挿入タイプのノズルは、管内部を傷つけるおそれもあるという問題点もあった。
【先行技術文献】
【特許文献】
【０００６】
【特許文献１】実開昭５５−３１５２
【特許文献２】実開昭５６−４２３８１
【特許文献３】実開昭５７−３５７８４
【特許文献４】実開昭５９−４２４９２
【特許文献５】実開昭５９−１９５３９９
【特許文献６】実開昭６３−１０４８９６
【特許文献７】実開昭６３−１９０７９１
【発明の概要】
【発明が解決しようとする課題】
【０００７】
本発明は上記に鑑みてなされたものであって、気泡混合水の生成効率を高め、簡便な構造で安価に洗浄サービスを提供できるバランス釜洗浄装置を提供することを目的とする。
【課題を解決するための手段】
【０００８】
請求項１に記載のバランス釜洗浄装置は、送気装置と、送水装置と、気液混合ノズルと、送気装置からの空気を気液混合ノズルへ導くチューブと、送水装置からの水を気液混合ノズルへ導くホースと、有するバランス釜の洗浄装置であって、気液混合ノズルは、円筒体であって、バランス釜の通水口に取り付ける通水口取付部を一端に、前記チューブを取り付けるチューブ取付部を他端に備え、気液混合ノズルは、さらに、チューブ取付部からの空気を前記一端側へ導気する内管と、内管先端近傍の円筒体外周に前記ホースを取り付けるホース取付部と、を具備したことを特徴とする。
【０００９】
すなわち、請求項１に係る発明は、水をノズル方向に沿わせずノズル内に導入するので気泡が水の中に好適に生成および分散し、バランス釜の管内壁面を満遍なく気泡混合水が流れ、これにより、洗浄効率が向上する。
【００１０】
請求項２に記載のバランス釜洗浄装置は、請求項１に記載のバランス釜洗浄装置において、内管は通水口取付部近傍まで延伸しており、ホース取付部の内径中心が内管全長の先端側１／５〜１／３の範囲に位置していることを特徴とする。
【００１１】
すなわち、請求項２に係る発明は、水の流れがノズル方向に整流される前に空気と混合撹拌されるため、洗浄に好適な気泡混合水が効率よく生成される。
【００１２】
請求項３に記載のバランス釜洗浄装置は、請求項１または２に記載のバランス釜洗浄装置において、送気装置は、送気量を周期的に増減または脈動的に増減させる制御機構を備えたことを特徴とする。
【００１３】
すなわち、請求項３に係る発明は、気泡混合水の圧力が変化するため、洗浄効率が向上する。
【００１４】
請求項４に記載のバランス釜洗浄装置は、請求項１、２または３に記載のバランス釜洗浄装置において、送水装置は、水没式ポンプであることを特徴とする。
【００１５】
すなわち、請求項４に係る発明は、水道水を用いず風呂の残り湯を用いた洗浄が可能となるとともに、送水量を定格として送気装置と協働させることができるので、常に所期の洗浄効率を保つことができる。
【図面の簡単な説明】
【００１６】
【図１】本発明のバランス釜洗浄装置の外観構成例である。
【図２】本発明のバランス釜洗浄装置の気液混合ノズルの断面図である。
【発明を実施するための形態】
【００１７】
以下、本発明の実施の形態を図面を参照しながら詳細に説明する。
図１は、本発明のバランス釜洗浄装置の外観構成例である。図２は、気液混合ノズルの断面図である。
【００１８】
バランス釜洗浄装置１００は、ノズル１０１と、エアコンプレッサ１０２と、送水ポンプ１０３と、を有し、ノズル１０１とエアコンプレッサ１０２とはチューブ１２１でつながっており、ノズル１０１と送水ポンプ１０３とはホース１３１でつながっている。
【００１９】
バランス釜洗浄装置１００は、ノズル１０１からバランス釜Ｂ内管へ、気泡混合水を送出することにより、気泡と水流とにより内管の湯垢等を物理的に取り除く。
【００２０】
ノズル１０１は、同心の二重円筒構造であり、前端に通水口取付部１１１を、後端にチューブ取付部１１２を備えている。通水口取付部１１１は、ノズル１０１をバランス釜Ｂの通水口Ｈに取り付けるものであり、アタッチメントにより、種々の口径の通水口Ｈに密に取り付けることができる。チューブ取付部１１２は、チューブ１２１をノズル１０１へ取り付けるものであり、エアコンプレッサ１０２からの空気を内管１１３へと導く。
【００２１】
内管１１３は、通水口取付部１１１近傍まで延伸し、エアコンプレッサ１０２からの空気を噴出する。なお、適宜先端を縮径して、気圧をより高め、気泡混合水の生成効率を高めるようにしても良い。
【００２２】
また、ノズル１０１の外周には、ホース取付部１１４がノズル１０１に対して垂直に立設されており、ホース１３１は、このホース取付部１１４に取り付けられている。ホース取付部１１４は、内管１１３の全長の前端側の１／５〜１／３の位置とする。
【００２３】
このように前端近くであって、ノズル１０１の延伸方向に垂直な方向から水を供給することにより、水の勢いを殺して水が整流される前に空気と混合されることとなるので、効率的に気泡混合水が生成される。
【００２４】
送水ポンプ１０３は、水没式ポンプであり、浴槽内の残り湯を用いる。水道水では、各浴室により水圧や水量が異なるため、好適な気泡混合水を生成、供給するために、バランス釜洗浄装置１００では、定格供給が可能であり、浴室内で使用するのに好適である水没式ポンプとしている。
【００２５】
エアコンプレッサ１０２は、周期的に空気供給量を増減させてノズル１０１へ空気を供給する。送水ポンプ１０３が一定の水量を供給するので、エアコンプレッサ１０２が周期的に空気供給量を増減させることにより、気泡混合水の圧力や気泡の大きさに幅をもたせることができる。これにより、バランス釜Ｂの内管の径や形状および全長が対象浴室毎に異なっても適応できるバランス釜洗浄装置１００となる。
【００２６】
また、気泡混合水に緩急がつくので、バランス釜Ｂの内管に付着した汚れに変化に富んだ力がかかり洗浄効率が向上する。
【００２７】
使用に際しては、浴槽に水を張った状態で、通水口取付部１１１を通水口Ｈ（通水口Ｈは上下に二箇所あるので、たとえば下側の通水口Ｈ）に取り付ける。次に、送水ポンプ１０３を駆動し、さらに、エアコンプレッサ１０２を駆動する。所定時間経過後、エアコンプレッサの送気を周期的に変化させるようにする。湯垢が他方の通水口Ｈから出なくなるのを確認して洗浄を終了する。
【００２８】
以上説明したように、本発明のバランス釜洗浄装置を用いることにより、気泡混合水の生成効率が高まり、簡便な構造で安価に洗浄サービスを提供可能となる。
【産業上の利用可能性】
【００２９】
本発明のバランス釜洗浄装置は、太陽熱温水器の洗浄に用いることもできる。
【符号の説明】
【００３０】
１００ バランス釜洗浄装置
１０１ ノズル
１０２ エアコンプレッサ
１０３ 送水ポンプ
１１１ 通水口取付部
１１２ チューブ取付部
１１３ 内管
１１４ ホース取付部
１２１ チューブ
１３１ ホース
【図１】
2014130008.tif 000003
【図２】
2014130008.tif 000004